(57)【要約】      （修正有）【課題】口腔体操装置であって、支持本体が人体に無害であるシリコン、例えば食用シリコン又は医療用シリコンなどで作成され、口腔に挿入して使用しても、安全性および無毒性を有し、更に低コストでより耐性のある口腔体操装置を提供する。【解決手段】上支持部１０１及び下支持部１０３を備え、上支持部と下支持部がコの字状であって且つ互いに対向し、上支持部と下支持部が連結して矩形体を形成し、内部に中空部１０５を有し、上支持部と下支持部が形成する支持本体１０と、接続端２０１と自由端２０３を有し、接続端は上支持部の周縁に接続される握柄２０と、上支持部の外表面から内表面へ貫通する貫通孔と、漏斗状を呈し、碗状部と柱状部からなり、中空部内且つ貫通孔に向けて設置され、碗状部の上端が上支持部の内表面の貫通孔周縁と接続し、柱状部の上端が碗状部の下端と接続し、柱状部の下端が下支持部の内表面と接続した弾性圧縮部材と、を備える。【選択図】図１
0003192551.tif 000002
【実用新案登録請求の範囲】
【請求項１】
口腔体操装置であって、
上支持部及び下支持部を備え、前記上支持部と前記下支持部がコの字状であって、且つ互いに対向し、前記上支持部と前記下支持部が連結して矩形体を形成し、内部に中空部を有し、前記上支持部と下支持部がそれぞれ外表面と内表面を形成する支持本体と、
接続端と前記接続端に対向する自由端を有し、前記接続端は前記上支持部の周縁に接続される握柄と、
前記上支持部の前記外表面から前記上支持部の前記内表面へ貫通する貫通孔と、
漏斗状を呈し、碗状部と柱状部からなり、前記中空部内且つ前記貫通孔に向けて設置され、前記碗状部の上端が前記上支持部の前記内表面の前記貫通孔周縁と接続し、前記柱状部の上端が前記碗状部の下端と接続し、前記柱状部の下端が前記下支持部の前記内表面と接続した弾性圧縮部材と、を備えたことを特徴とする、
口腔体操装置。
【考案の詳細な説明】
【技術分野】
【０００１】
本考案は、口腔用体操装置に関し、特に構造が簡単で、低コスト且つ強度を増加した口腔用体操装置に関する。
【背景技術】
【０００２】
癌はこれまで人類にとって悪夢の一つであったが、医学が発達した年代に当たって、多くの癌は早期発見、早期治療をすれば全治する可能性がある。口腔癌もその一つである。ある口腔癌患者は病状の後期において、口腔内に繊維化現象が現れ、上下顎が正常程度に開合することができず、重大な場合には完全に閉じてしまい、日常生活及び食物の摂取に重大な影響を及ぼす。従って、治療の過程で、持続的な口腔運動によるリハビリ治療は大変重要である。このほか、多くのその他病症でも口腔のリハビリ体操が必要であり、例えば顔面手術後の患者などは、持続性のある口腔リハビリ体操で回復の速度を上げることができる。
また、近年は、医学美容の話題が活発になっており、人々の顔面筋肉のラインに対する要望が高まり、適度なフェイス体操により顔面の筋肉ラインをシェイプして、より完璧なフェイスラインを達成しようとする動きが多くなり、口腔体操の重要性が更にクローズアップされている。
【０００３】
現在使用されている口腔体操器具は、医師によりよく使われている「舌押し板」であり、木材からなり、患者がリハビリ体操をしたい場合に、一片又は複数の舌押板を口腔内に入れ、上下に動かすことで口腔を広げる。このようなやり方は、使用時は便利であるが、木材は固い材質であり、口腔内の組織を傷つけ易く、力が強すぎると裂傷を起こして口腔組織を傷つけるので、ある程度の危険性がある。
【０００４】
上記の問題に鑑みて、現在の口腔体操器具にある欠点を改良し、いかに使用者がより便利に使用でき、更に安全性と体操効果を持つと同時に、コストが安く、破損しにくくするかが、この業界でめざす目標である。
【考案の概要】
【考案が解決しようとする課題】
【０００５】
上記の問題を克服するため、本考案は口腔体操装置を提供する。本考案の主な目的は、口腔体操装置であって、支持本体が有する強化リブ（弾性圧縮部材）により口腔体操装置がより弾性強度をもち、使用者が口腔の噛み合わせを行なうと更に運動になる目的を達成する。
【０００６】
本考案の別の目的は、口腔体操装置であって、支持本体が人体に無害であるシリコン、例えば食用シリコン又は医療用シリコンなどで作成され、口腔に挿入して使用しても、安全性および無毒性を有し、更に低コストでより耐性のある口腔体操装置を提供する。
【課題を解決するための手段】
【０００７】
上記目的により、本考案の口腔体操装置は、支持本体と握柄と、貫通孔と、弾性圧縮部材とを備える。前記支持本体は、上支持部と下支持部を有し、上支持部と下支持部はコの字状で互いに対向し、上支持部と下支持部が連結して矩形体を形成し、支持本体内に中空部を形成する。上支持部と下支持部はそれぞれ一の外表面と一の内表面を有する。前記握柄は、接続端と前記接続端に相対する自由端を有し、前記接続端が上支持部の周辺に接続する。前記貫通孔は、上支持部の外表面から上支持部の内表面へ貫通する。前記弾性圧縮部材は、漏斗状を呈しており、碗状部と柱状部からなり、また前記中空部内に貫通孔に向けて配置されている。前記碗状部の上端が上支持部の内表面の貫通孔周縁と接続し、柱状部の上端と碗状部の下端が接続し、柱状部の下端と下支持部の内表面が接続している。
【考案の効果】
【０００８】
本考案の口腔体操装置は、従来の口腔体操装置と比較すると、製造コストを節減できるだけでなく、より安全で無毒に使用でき、且つ強化リブ（弾性圧縮部材）を有するので、口腔体操装置の弾性を強化して、使用者の口腔噛合わせの際に更に運動の目的を達成することができる。
【図面の簡単な説明】
【０００９】
【図１】本考案の口腔体操装置を示す立体図。
【図２】本考案の口腔体操装置の前面を示す平面図。
【図３】本考案の口腔体操装置の実施を示す平面図。
【考案を実施するための形態】
【００１０】
本考案の目的、技術特徴及び優れた点をこの分野において通常の知識を有する者が理解して実施できるよう、以下図を参照しながら、本考案の技術特徴と実施方法について実施例を挙げながら説明を行う。ただし、以下の実施例は本考案を限定するものではなく、以下、文中に対応する図面は本考案の特徴を示している。
【００１１】
まず、図１および図２を参照する。図は、本考案の口腔体操装置の平面図を示す。口腔体操装置１は、主に支持本体１０と握柄２０とを有する。支持本体１０は上支持部１０１と下支持部１０３からなり、前記上支持部１０１と下支持部１０３はそれぞれコの字型であって、且つ互いに連結して矩形状体を形成し、支持本体１０内に中空部１０５を形成する。
上支持部１０１は外表面１０１１及び内表面１０１３を備え、また下支持部１０３は同様に外表面１０３１と内表面１０３３を備える。上支持部１０１と下支持部１０３は一体成形されていてもよく、または互いに接続して設置してもよい。前記握柄２０は、接続端２０１と該接続端１０１に対向する自由端２０３を備え、このうち該接続端２０１が前記上支持部１０１の周縁１０１７と接続する。
握柄２０は本実施例の形状では扁平板状であるが、棒状又は握持できる任意の形状でよく、握柄２０と上支持部１０１は一体成形されるか互いに接続して設けられるが、ここでとくに制限しない。
【００１２】
また前記口腔体操装置１は、貫通孔１０１５と、弾性圧縮部材３０とを備える。前記貫通孔１０１５は、上支持部１０１の外表面１０１１から貫通して上支持部１０１の内表面１０１３に達する。前記弾性圧縮部材３０は、漏斗状であり、碗状部３０１及び柱状部３０３からなり、前記中空部１０５内に配置されて前記貫通孔１０１５に向けて設置される。前記碗状部３０１の上端３０１１と上支持部１０１の内表面１０１３の貫通孔１０１５周縁が接続し、柱状部３０３の上端３０３１と碗状部３０１の下端３０１３が接続して、前記柱状部３０３の下端３０３３と下支持部１０３の内表面１０３３が接続する。
弾性圧縮部材３０は支持本体１０を支持して弾性強度を増強することができ、支持本体１０と一体成形又は相互に接続して設置され、前記弾性圧縮部材３０、支持本体１０及び握柄２０の材質は、シリコンゴム、特に人体に無害の、食品用シリコンゴムや医療用シリコンゴムなどのシリコンゴムで製造され、シリコンゴムは弾性と変形圧縮可能な特性をもつ。
【００１３】
次に、図３は本考案の口腔体操装置の実施例平面図である。図３に示すように、使用者が口腔体操を行なう際に、支持本体１０を口腔に入れ、使用者の上あご臼歯４０を上支持部１０１の外表面１０１１上において、下あご臼歯４２を下支持部１０３の外表面１０３１上におき、上あご臼歯４０及び下あご臼歯４２の噛み合わせの反復を行なって、口腔体操の目的を達成する。
上あご臼歯４０と下あご臼歯４２が力を入れて噛合わさると、支持本体１０を押圧して上支持部１０１と下支持部１０３が互いに合わさり、中空部１０５にある弾性圧縮部材３０も、押圧により構造上の変化を生じる。このうち、碗状部３０１が押し圧されて外壁を圧縮し、柱状部３０３が突起して接続している碗状部３０１の下端３０１３を上に向けて貫通孔１０１５まで移動させ、且つ上支持部１０１の外表面１０１１をおし上げる。
また、上あご臼歯４０と下あご臼歯４２が噛合わせの力を抜くと、弾性圧縮部材３０がシリコンゴム自体が弾性をもつので、圧力をうけていない元の状態に回復して、上支持部１０１及び下支持部１０３が本来押圧されていない状態に戻る。且つ、それと同時に、弾性圧縮部材３０が元の状態に戻る関係で、使用者が噛合わせの際に弾む音が察知でき、この音により使用者が口腔で確かに噛合わせ動作をしていることがわかる。このほか、使用者が握柄２０を使用して、容易に口腔体操装置１の口腔への出し入れの動作を制御することができ、口腔体操装置１が口腔内でのどに滑入する危険を防止することができる。
【００１４】
本考案による口腔体操装置１は使用が簡便なだけでなく、製作コストが低く、且つ口腔体操装置は全体がシリコン、特に人体に無害な食用若しくは医療用シリコンで製造されているため、口腔内に入れても安全に問題がなく、更に弾性圧縮部材３０の設置により口腔体操をより効果的に行い、リハビリや口腔体操が必要な患者を補助して確実に体操の目的を達成することができ、且つ口腔体操によりフェイスラインをすっきりさせることができる。
【００１５】
以上、本考案の実施例を開示したが、具体的な構成は、この実施例に限られるものではなく、本考案の要旨を逸脱しない範囲の設計変更等があっても、本考案に含まれる。    
【符号の説明】
【００１６】
１          口腔体操裝置
１０        支持本体
１０１      上支持部
１０１１  外表面
１０１３  内表面
１０５      中空部
２０        握柄
２０１      接続端
２０３      自由端
３０      弾性圧縮部材
３０１    碗状部
３０３１  上端
３０３３  下端
４０        上あご臼歯
４２        下あご臼歯
【図１】
0003192551.tif 000003
【図２】
0003192551.tif 000004
【図３】
0003192551.tif 000005